(57)【要約】【課題】  任意の甲部の高さ等に対応可能な組立式の簡易履物と、それを形成するに際して材料を無駄なく用いることが可能な簡易履物形成シートとを提供する。【解決手段】  足を載せる底部と足の甲を覆う甲部（２）とで構成されるスリッパを組み立てるための略Ｔ字形のシート材から成る簡易履物形成シート（１）である。前記シート材は、前記底部を成す縦長部分（６）と、縦長部分（６）の両側に位置して前記甲部（２）を形成するための一対の略矩形部分（７ａ，７ｂ）とを有し、縦長部分（６）と略矩形部分（７ａ，７ｂ）との境界に沿って縦長部分（６）の先端側から略矩形部分（７ａ，７ｂ）との境界線上の途中まで切り込み（３）が設けられている。略矩形部分（７ａ，７ｂ）は、切り込み（３）の外側に位置する帯状部（９ａ，９ｂ）の両側縁部のうち同じ側の縁部に複数の切り込み（５）を並列に設け、前記底部の上方で略矩形部分（７ａ，７ｂ）の一方の任意の切り込み（５）を他方の任意の切り込み（５）と噛み合わせることにより、前記甲部（２）を形成する。【選択図】  図１
2005058439.tif 000002
【特許請求の範囲】
【請求項１】
足を載せる底部と足の甲を覆う甲部（２）とで構成される履物を組み立てるための略Ｔ字形のシート材から成る簡易履物形成シート（１）であって、
前記シート材は、前記底部を成す縦長部分（６）と、該縦長部分の両側に位置して前記甲部（２）を形成するための一対の略矩形部分（７ａ，７ｂ）とを有し、該縦長部分（６）と該略矩形部分（７ａ，７ｂ）との境界に沿って該縦長部分（６）の先端側から該略矩形部分（７ａ，７ｂ）との境界線上の途中まで切り込み（３）が設けられ、
前記略矩形部分（７ａ，７ｂ）は、前記切り込み（３）の外側に位置する部分（９ａ，９ｂ）の両側縁部のうち同じ側の縁部に複数の切り込み（５）を並列に設け、前記底部の上方で該略矩形部分（７ａ，７ｂ）の一方の任意の切り込み（５）を他方の任意の切り込み（５）と噛み合わせることにより、前記甲部（２）を形成することを特徴とする簡易履物形成シート（１）。
【請求項２】
請求項１記載の簡易履物形成シート（１）において、前記略矩形部分（７ａ，７ｂ）に設けられた複数の切り込み（５）は、それぞれ前記略矩形部分（７ａ，７ｂ）の側縁部にその側縁の内側に向かって途中から設けられ、組み立て時には、その側縁から切り込みの始まる位置までの部分（４）を切ることにより、前記一方の任意の切り込み（５）と前記他方の任意の切り込み（５）とが噛み合わせ可能になることを特徴とする簡易履物形成シート（１）。
【請求項３】
請求項１又は２記載の簡易履物形成シート（１）において、前記切り込み（３，５）に代えて点線状の穴の列又は索状の溝を設けたことを特徴とする簡易履物材料（１）。
【請求項４】
足を載せる底部と足の甲を覆う甲部（２）とで構成される履物を組み立てるための略Ｔ字形の簡易履物形成シート（１）を、上下互い違いの向きにして隙間なく横並びに複数配置したシート材から成り、
前記シート材には、前記簡易履物形成シート（１）の各々の境界線の略全長に沿って切り込み（１３）が設けられ、
前記簡易履物形成シート（１）は、前記底部を成す縦長部分（６）と、該縦長部分（６）の両側に位置して前記甲部（２）を形成するための一対の略矩形部分（７ａ，７ｂ）とをそれぞれ有し、該縦長部分（６）と該略矩形部分（７ａ，７ｂ）との境界に沿って該縦長部分（６）の先端側から該略矩形部分（７ａ，７ｂ）との境界線の途中まで切り込み（３）が設けられ、
前記略矩形部分（７ａ，７ｂ）は、前記縦長部分（６）と前記略矩形部分（７ａ，７ｂ）との境界に沿って設けられた切り込み（３）の外側に位置する部分（９ａ，９ｂ）の両側縁部のうち同じ側の縁部に複数の切り込み（５）を並列に設け、前記底部の上方で該略矩形部分（７ａ，７ｂ）の一方の任意の切り込み（５）を他方の任意の切り込み（５）と噛み合わせることにより、前記甲部（２）を形成することを特徴とする簡易履物材料シート（１０）。
【請求項５】
請求項４記載の簡易履物材料シート（１０）において、前記切り込み（３，５，１３）に代えて点線状の穴の列、又は索状の溝を設けたことを特徴とする簡易履物材料シート（１０）。
【請求項６】
足を載せる底部と足の甲を覆う甲部（２）とを構成するシート材から組み立てられる簡易履物であって、
前記シート材は、前記底部を成す縦長部分（６）と、該縦長部分（６）の両側に位置して前記甲部（２）を形成するための一対の略矩形部分（７ａ，７ｂ）とを有し、該縦長部分（６）と該略矩形部分（７ａ，７ｂ）との境界に沿って該縦長部分（６）の先端側から該略矩形部分（７ａ，７ｂ）との境界線上の途中まで切り込み（３）が設けられ、
前記略矩形部分（７ａ，７ｂ）は、前記切り込み（３）の外側に位置する部分（９ａ，９ｂ）の両側縁部のうち同じ側の縁部に複数の切り込み（５）を並列に設け、前記底部の上方で該略矩形部分（７ａ，７ｂ）の一方の任意の切り込み（５）を他方の任意の切り込み（５）と噛み合わせることにより、前記甲部（２）を形成することを特徴とする簡易履物。
【発明の詳細な説明】
【技術分野】
【０００１】
本発明は、スリッパやサンダルのような簡易履物に組み立てられる簡易履物形成シート、当該簡易履物形成シートを量産するために好適な簡易履物材料シート、及びこれらのシートから組み立てられる簡易履物に関する。
【背景技術】
【０００２】
一般に、ホテルや旅客機では、利用者に対して使い捨てスリッパを用意している場合が多い。このような簡易スリッパは、コスト削減のために紙や薄い布などの安価で軽量な材料で作られている。
【０００３】
従来の使い捨てスリッパは、大量に積み重ねた状態で輸送するために全体として扁平な形状を維持するようなクセが付いており、足を入れようとする度にスリッパの甲部（鼻緒を含む）を拡げる必要がある。そこで、この装着時の不便を解消するように作られた平面状スリッパが下記特許文献１に掲載されている。この平面状スリッパによれば、スリッパの本体両側に設けた帯状部分の各々の一方の側縁部に互い違いに切り込みを１つ入れておき、その切り込みをスリッパ本体の上方で噛み合わせることによって、足の甲を覆うための甲部を形成するようになっている。
【０００４】
また、複数組の紙製の使い捨てスリッパを帯状に連結し、不使用時には、これを折り畳んでコンパクトに収納することができる“使い捨てスリッパセット”が下記特許文献２に掲載されている。
【０００５】
【特許文献１】実開平５−７４３０１号公報
【特許文献２】実開平６−３８６０４号公報
【発明の開示】
【発明が解決しようとする課題】
【０００６】
前述の「平面状スリッパ」では、左右の帯状部分の切り込み位置が決まっているため、帯状部分を合わせて形成する甲部の大きさも限定されている。このため、足のサイズが異なる不特定人が使用可能にするには、切り込み位置が異なる種々のサイズのものを用意する必要がある。また、布や紙などの平面材料からこのスリッパの形状を切り出すときに、スリッパ本体とその両側に張り出す帯状部分以外の平面材料部分が不要として切断されるため、材料の無駄も生じる。
【０００７】
一方、前述の“使い捨てスリッパセット”では、スリッパの甲部は従来どおり、底部に接合（縫合）される形態であり、その分手間がかかることに加えて、甲部の大きさも当然画一的であるから、足のサイズ（特に甲部の高さ）が異なる不特定人に適合し得るものではない。
【０００８】
本発明の目的は、任意の甲部の高さ等に対応可能な組立式の簡易履物と、それを形成するに際して材料を無駄なく用いることが可能な簡易履物形成シートを提供することである。
【課題を解決するための手段】
【０００９】
本発明の簡易履物形成シートは、足を載せる底部と足の甲を覆う甲部とで構成される履物（例えば、後述のスリッパ）を組み立てるための略Ｔ字形のシート材から成る簡易履物形成シートであって、前記シート材は、前記底部を成す縦長部分と、該縦長部分の両側に位置して前記甲部を形成するための一対の略矩形部分とを有し、該縦長部分と該略矩形部分との境界に沿って該縦長部分の先端側から該略矩形部分との境界線上の途中まで切り込みが設けられ、前記略矩形部分は、前記切り込みの外側に位置する部分（例えば、後述の帯状部９ａ，９ｂ）の両側縁部のうち同じ側の縁部に複数の切り込みを並列に設け、前記底部の上方で該略矩形部分の一方の任意の切り込みを他方の任意の切り込みと噛み合わせることにより、前記甲部を形成することを特徴とする。
【００１０】
本発明の具体的態様は、前記略矩形部分に設けられた複数の切り込みは、それぞれ前記略矩形部分の側縁部にその側縁の内側に向かって途中から設けられ、組み立て時には、その側縁から切り込みの始まる位置までの部分（例えば、後述の切込端部４）を切ることにより、前記一方の任意の切り込みと前記他方の任意の切り込みとが噛み合わせ可能になる。
【００１１】
また、前記切り込みに代えて、点線状の穴の列又は索状の溝を設けてもよい。
【００１２】
本発明の簡易履物材料シートは、足を載せる底部と足の甲を覆う甲部とで構成される履物を組み立てるための略Ｔ字形の簡易履物形成シートを、上下互い違いの向きにして隙間なく横並びに複数配置したシート材から成り、前記シート材は、前記簡易履物形成シートの各々の境界線の略全長に沿って切り込みが設けられ、前記簡易履物形成シートは、前記底部を成す縦長部分と、該縦長部分の両側に位置して前記甲部を形成するための一対の略矩形部分とをそれぞれ有し、該縦長部分と該略矩形部分との境界に沿って該縦長部分の先端側から該略矩形部分との境界線の途中まで切り込みが設けられ、前記略矩形部分は、前記縦長部分と前記略矩形部分との境界に沿って設けられた切り込みの外側に位置する部分の両側縁部のうち同じ側の縁部に複数の切り込みを並列に設け、前記底部の上方で該略矩形部分の一方の任意の切り込みを他方の任意の切り込みと噛み合わせることにより、前記甲部を形成することを特徴とする。
【００１３】
この場合も、前記切り込みに代えて、点線状の穴の列又は索状の溝を設けてもよい。
【００１４】
本発明の簡易履物は、足を載せる底部と足の甲を覆う甲部とを構成するシート材から組み立てられる簡易履物であって、前記シート材は、前記底部を成す縦長部分と、該縦長部分の両側に位置して前記甲部を形成するための一対の略矩形部分とを有し、該縦長部分と該略矩形部分との境界に沿って該縦長部分の先端側から該略矩形部分との境界線上の途中まで切り込みが設けられ、前記略矩形部分は、前記切り込みの外側に位置する部分の両側縁部のうち同じ側の縁部に複数の切り込みを並列に設け、前記底部の上方で該略矩形部分の一方の任意の切り込みを他方の任意の切り込みと噛み合わせることにより、前記甲部を形成することを特徴とする。
【発明の効果】
【００１５】
本発明の簡易履物形成シートによれば、履物の底部の左右に位置する一対の略矩形部分の各々の側縁部に複数の切り込みを設け、底部の上方で任意の切り込みを噛み合わせることにより、履物の甲部が形成される。このため、不特定人の足の甲部の高さに対応して履物を組み立てることができる。
【００１６】
また、略矩形部分に設けられた複数の切り込みは、それぞれ略矩形部分の側縁の内側に向かって途中から設けておいてもよい。組み立て時には、その側縁から切り込みの始まる位置までを切る（例えば、手で千切る）ことにより、噛み合わせ可能となる。
【００１７】
また、切り込みに代えて、点線状の穴の列又は索状の溝を設けることができる。
【００１８】
本発明の簡易履物材料シートによれば、略Ｔ字形の簡易履物形成シートを上下互い違いの向きにして隙間なく横並びに複数配置することにより、切り屑等の無駄になる部分を一切出さずに簡易履物形成シートを大量生産することができる。また、前記簡易履物形成シートの各々の境界線の略全長に沿って切り込みを設けておけば、必要なときに必要な個数だけ手で容易に簡易履物形成シートを取外すことができる。
【００１９】
この場合も、切り込みに代えて、点線状の穴の列又は索状の溝を設けておいてもよい。
【００２０】
本発明の簡易履物によれば、履物の底部の左右に位置する一対の略矩形部分の各々の側縁部に複数の切り込みを設け、底部の上方で任意の切り込みを噛み合わせることにより、不特定人の足の甲部の高さに対応した履物の甲部を形成することができる。
【発明を実施するための最良の形態】
【００２１】
図１は、本発明の実施例の簡易履物形成シート１を示している。この簡易履物形成シート１は、略Ｔ字形のシート材（例えば、厚紙など）から成り、簡易履物（実施例では、スリッパ）の底部を成す縦長部分６と、当該縦長部分６の両側に位置してスリッパの甲部を形成するための一対の略矩形部分７ａ，７ｂとを有している。また、簡易履物形成シート１の縦長部分６と左右の略矩形部分７ａ，７ｂとの境界にそって縦長部分６の先端側から略矩形部分７ａ，７ｂとの境界線上の途中まで切り込み３が設けられている。この切り込み３は、縦長部分６の先端から僅かに内側の位置から設けられており、図において破線の円で囲った部分に示すように、縦長部分６の先端から切り込み３の始まる位置までの部分（以下「切込端部」という。）４を手で容易に千切ることができるようになっている。
【００２２】
この簡易履物形成シート１では、縦長部分６と左右の略矩形部分７ａ，７ｂとの境界に沿って設けられた切り込み３は、縦長部分６の先端中央に向かって緩い曲線を描いているが、これはスリッパの外観を考慮して設けられた曲線であり、特にこの形状に限定されるものではない。すなわち、縦長部分６と左右の略矩形部分７ａ，７ｂとの境界に沿って設ける切り込み３は、直線状でもよい。逆に、縦長部分６の後端部（スリッパのかかと部分）の形状を規定する切り込み１３は、後述（図６）のように曲線状でもよい。
【００２３】
略矩形部分７ａ，７ｂには、縦長部分６と左右の略矩形部分７ａ，７ｂとの境界に沿って設けられた切り込み３の外側に位置する帯状の部分（以下「帯状部」という。）９ａ，９ｂの両側縁部のうち同じ側の縁部に複数の切り込み５が並列に設けられている。この複数の切り込み５は、それぞれ略矩形部分７ａ，７ｂの側縁部にその側縁の内側に向かって途中から設けられており、縦長部分６と左右の略矩形部分７ａ，７ｂとの境界に沿って設けられた切り込み３の端部に形成された前述の切込端部４と同様に、手で容易に千切ることができる切込端部４が設けられている。
【００２４】
次に図２，図３を参照して、実施例の簡易履物形成シート１を用いてスリッパを組み立てる方法を説明する。
【００２５】
まず、簡易履物形成シート１の縦長部分６と略矩形部分７ａ，７ｂとの境界に沿って設けられた切り込み３の切込端部４を手で千切って、縦長部分６と略矩形部分７ａ，７ｂの帯状部９ａ，９ｂとを分離させる。そして、略矩形部分７ａ，７ｂの帯状部９ａ，９ｂの各々の一側縁部に複数設けられた切り込み５のうち、適宜の切り込み５の端部に設けられた切込端部４を手で千切る。具体的には、スリッパの底部を成す簡易履物形成シート１の縦長部分６の上に足を載せ、左右の略矩形部分７ａ，７ｂの帯状部９ａ，９ｂの各々を足の甲の上で重ね合わせる。このとき、帯状部９ａ，９ｂの各々に設けられた複数の切り込み５同士も重なるので、そのちょうど重なり合っている切り込み５の各々の切込端部４を手で千切っておく。ここでは、略矩形部分７ａ，７ｂの帯状部９ａ，９ｂの各々において、隣り合う２つの切り込み５の各々の切込端部４を千切ることにより、当該２つの切り込み５の間に帯状片８ａ，８ｂがそれぞれ形成される。
【００２６】
簡易履物形成シート１の略矩形部分７ａ，７ｂによって、足を覆うためのスリッパの甲部を形成するため、スリッパの底部を成す縦長部分６の上方で、略矩形部分７ａ，７ｂの帯状部９ａ，９ｂの各々を、帯状部９ｂが帯状部９ａの前方で僅かに上方に位置するように保持する。そして、帯状部９ａ，９ｂの各々に形成された帯状片８ａ，８ｂを互いに反対側に少し開くようにする。具体的には、例えば、帯状部９ａの帯状片８ａを帯状部９ｂの前方に曲げ、帯状部９ｂの帯状片９ｂを帯状部９ａの後方に曲げる。
【００２７】
次に、上記の帯状片８ａ，８ｂを互いに上下に位置させた状態で、帯状部９ｂを帯状部９ａの上方から摺合しながら下降させる。これによって、帯状部９ａ，９ｂの各々に設けられた帯状片８ａ，８ｂは、図３に示すように帯状片８ａ，８ｂの各々を形成する隣り合う２つの切り込み５の間に入り込み、帯状片８ａ，８ｂの両側で切り込み５が互いに噛み合った状態になっている。このように帯状部９ａ，９ｂが縦長部分６の上方でアーチ状に連結されることにより、スリッパの甲部２が形成される。
【００２８】
実施例の簡易履物形成シート１を用いて組み立てたスリッパを履くときは、上記のように左右の略矩形部分７ａ，７ｂの帯状部９ａ，９ｂを縦長部分６の上方で連結して形成したアーチ状の甲部２につま先から足を滑り込ませ、縦長部分６の上に足を載せればよい。これにより、簡易履物形成シート１で組み立てたスリッパを履いて歩くことができる。
【００２９】
実施例の簡易履物形成シート１は、左右の略矩形部分７ａ，７ｂの帯状部９ａ，９ｂの各々の一側端に索状の切り込み５を複数設けたことにより、足の大きさに応じて切り込み５を噛み合わせて甲部２を形成することができる。これにより、足の甲部の高さ等が異なる人の使用のために、複数のサイズを用意する必要がないという利点もある。また、スリッパの甲部２を形成するとき、左右の略矩形部分７ａ，７ｂの帯状部９ａ，９ｂが約９０°捻った状態となり、これがスリッパの甲部のデザイン上の特徴となる。
【００３０】
次に、実施例の簡易履物形成シート１は、図１に示すように全体として略Ｔ字形のシート材から成る。図４は、この略Ｔ字形を利用して、簡易履物形成シート１を上下互い違いの向きにして隙間なく横並びに複数配置した帯状のシート材から成る簡易履物材料シート１０を示す。
【００３１】
簡易履物形成シート１は、上下互い違いの向きにし、各々の縦長部分６を隣り合わせにして横並びに配置することにより、図のように一枚の帯状のシート材（例えば、帯状の厚紙）を用いて切り屑などの無駄になる部分を出さずに量産することができる。
【００３２】
簡易履物材料シート１０には、複数の簡易履物形成シート１の各々の境界線の略全長に沿って切り込み１３を設けておくのがよい。ここで、“境界線の略全長”としたのは、図４において上下方向の切り込み１３と左右方向の切り込み１３とが交わる位置において、図のように僅かに切り込まない部分を設けるからである。当該切り込まない部分は、手で容易に千切ることができるように僅かに繋がった状態にしておくことにより、前述の切込端部４と同様の切込端部１４を成している。
【００３３】
図５は、図４の簡易履物材料シート１０を構成する複数の簡易履物形成シート１を、各々の境界線の略全長に沿って設けた切り込み１３の位置で分離した状態を示している。簡易履物形成シート１は、このように切り込み１３の端部に設けられた切込端部１４を手で千切ることによって、簡易履物材料シート１０から用意に分離することができる。これにより、使用者自身が必要なときに必要な個数だけ簡易履物形成シート１を取り、簡単に組み立てることができる。従って、簡易履物形成シート１を出荷する場合には、一足分ずつ袋詰めする必要はなく、複数個（例えば、１００個）の簡易履物形成シート１が連結した状態の簡易履物材料シート１０を梱包すればよい。これにより、生産工程を効率化することも可能である。具体的には、例えば、ホテルや旅客機等のように多数のスリッパを必要とする場所には、この簡易履物材料シート１０を備えておけば、必要なときに必要な個数だけ簡易履物形成シート１を千切ってスリッパ状の履物を提供することが可能となり、非常に便利である。
【００３４】
上記の簡易履物形成シート１０では、各履物形成シート１の境界線の切り込み１３は直線状であるが、曲線状でもよい。例えば、図６に示すように、各履物形成シート１の縦長部分６においてスリッパのかかと部分の形状を規定する境界線上で、後端中央と左右の側縁中央とに前述の切込端部１４を残して、円弧や楕円のような曲線状の切り込み１３を設けることができる。これにより、各履物形成シート１から形成される履物のかかと部分は、図１〜図５のように角張った形状でなく、通常の布や皮革で作られたスリッパのように丸みのついた形態となる。
【００３５】
実施例の簡易履物材料シート１０は、適宜の切断手段等を用いて帯状材料に切り込み３，５，１３を設けさえすればよいので、容易に製造できると共に、前述の従来例のように切り屑などの無駄な部分が発生しないため、生産コストを従来に比べて格段に低減することができる。
【００３６】
以上、実施例について説明したが、本発明は、これに限られるものではない。
【００３７】
実施例の簡易履物、履物形成シート１及び履物材料シート１０は、厚紙で作られているが、例えば、ダンボール、ゴム、コルク、合成樹脂、布等の平面材料で作ることができる。
【００３８】
また、実施例の簡易履物形成シート１及び簡易履物材料シート１０に設けられた切り込み３，５，１３に代えて、例えば、点線状の穴の列（ミシン目）や索状の溝でもよい。すなわち、手で用意に千切ることができるものであればよい。
【００３９】
実施例では、スリッパの甲部２を形成するとき、簡易履物形成シート１の底部６に載せた足の甲の上で略矩形部分７ａ，７ｂの帯状部９ａ，９ｂを交差させることによって切り込み５を噛み合わせる位置を決定しているが、これに限られるものではない。例えば、帯状部９ａ，９ｂの各々の一側端部に複数設けられた切り込み５の横に、サイズの目安となる表記を付しておいてもよい。具体的には、例えば、ある切り込み５を噛み合わせたとき、２６．０ｃｍの足に対応する甲部２が形成される場合には、当該切り込み５の横に“２６．０ｃｍ”と表記しておく。ユーザは、通常自分の足のサイズを知っているので、その表記に基づいてスリッパを組み立てることができる。また、サイズ表記を“Ｓ”，“Ｍ”，“Ｌ”としておいてもよい。
【図面の簡単な説明】
【００４０】
【図１】実施例の簡易履物形成シートの平面図。
【図２】実施例の簡易履物形成シートを用いてスリッパ状の履物を組み立てる方法を示す斜視図。
【図３】実施例の簡易履物形成シートを用いて組み立てたスリッパ状の履物の斜視図。
【図４】簡易履物形成シートを上下互い違いの向きにして隙間なく横並びに複数配置した簡易履物材料シートの一部の平面図。
【図５】実施例の簡易履物材料シートから簡易履物形成シートを分離した状態を示す図。
【図６】簡易履物形成シートから形成される履物のかかと部分の形状を曲線状にした簡易履物材料シートの実施例を示す平面図。
【符号の説明】
【００４１】
１…簡易履物形成シート、２…甲部、３，５，１３…切り込み、４，１４…切込端部、６…縦長部分、７ａ，７ｂ…略矩形部分、８ａ，８ｂ…帯状片、９ａ，９ｂ…帯状部、１０…簡易履物材料シート。
【図１】
2005058439.tif 000003
【図２】
2005058439.tif 000004
【図３】
2005058439.tif 000005
【図４】
2005058439.tif 000006
【図５】
2005058439.tif 000007
【図６】
2005058439.tif 000008